(57)【要約】【課題】原稿が原稿自動搬送装置で詰まった場合でも、製造コストの増加を抑制しつつ、詰まった原稿を容易に除去（ジャム解除）することができる画像読取装置を提供する。【解決手段】原稿の一部が原稿押さえカバー１８の下面側に露出している状態でジャムが発生した場合には、原稿押さえカバー１８を原稿台１４に対して開けて、原稿押さえカバー１８の下面側からジャム解除ハンドル３４を回転操作すると同時に、原稿の一部を把持して原稿押さえカバー１８の下面側に引き抜くことで、原稿押さえカバー１８の下面側から同時に２つの作業ができるため、詰まった原稿を容易に取り除くことができる。【選択図】      図４
2008211672.tif 000002
【特許請求の範囲】
【請求項１】
原稿台と、前記原稿台に対して開閉可能に設けられ下面側で前記原稿台に載置された原稿を押さえる原稿押さえカバーと、前記原稿押さえカバーの上面側に設けられ原稿が載置される原稿トレイと、前記原稿押さえカバーの上面側に設けられ前記原稿トレイに載置された原稿を前記原稿台上の任意の読取部位に搬送する原稿自動搬送装置と、前記原稿自動搬送装置の内部で詰まった原稿を前記原稿自動搬送装置から取り除くジャム解除部材と、を有する画像読取装置であって、
前記ジャム解除部材は、前記原稿押さえカバーの上面側に操作可能に露出すると同時に、前記原稿押さえカバーの下面側にも操作可能に露出していることを特徴とする画像読取装置。
【請求項２】
原稿台と、前記原稿台に対して開閉可能に設けられ下面側で前記原稿台に載置された原稿を押さえる原稿押さえカバーと、前記原稿押さえカバーの上面側に設けられ原稿が載置される原稿トレイと、前記原稿押さえカバーの上面側に設けられ前記原稿トレイに載置された原稿を前記原稿台上の任意の読取部位に搬送する原稿自動搬送装置と、前記原稿自動搬送装置の内部で詰まった原稿を前記原稿自動搬送装置から取り除くジャム解除部材と、を有する画像読取装置であって、
前記原稿自動搬送装置は、開閉可能な上面カバー部を有し、
前記ジャム解除部材は、
前記原稿自動搬送装置の内部であって前記上面カバー部を開いたときに操作可能に露出するとともに、前記上面カバー部を閉じたときに前記上面カバー部で隠れるように設けられ、
同時に、前記原稿押さえカバーの下面側に操作可能に露出していることを特徴とする画像読取装置。
【請求項３】
前記原稿自動搬送装置は、原稿を搬送する原稿搬送ローラを有し、
前記ジャム解除部材は、回転操作可能に設けられた円盤状部材であり、回転操作されることにより前記原稿搬送ローラを回転させて原稿を取り除くことを特徴とする請求項１又は２に記載の画像読取装置。
【請求項４】
前記ジャム解除部材の外周面には、係止部が形成されていることを特徴とする請求項３に記載の画像読取装置。
【発明の詳細な説明】
【技術分野】
【０００１】
本発明は、原稿の画情報などを読み取る画像読取装置に関する。
【背景技術】
【０００２】
従来の画像読取装置には、原稿台に対して開閉可能に取り付けられた原稿押さえカバーと、原稿押さえカバーの上面に設けられた原稿トレイと、原稿押さえカバーの上面に設けられ原稿トレイにセットされた原稿を任意の読取部位に搬送する原稿自動搬送装置（ＡＤＦ）と、原稿押さえカバーの上面に形成され読取部位に搬送された原稿が排出される排紙トレイと、を備えたものがある。
【０００３】
ここで、原稿自動搬送装置の内部には、原稿が詰まったときに搬送ローラなどを回転させるためのジャム解除ダイヤルが設けられている。ユーザは、原稿自動搬送装置の内部で原稿が詰まると、このジャム解除ダイヤルを回転させることにより、詰まった原稿を原稿自動搬送装置から容易に取り出すことができる。
【特許文献１】特開２００５−２６６４３１号公報
【特許文献２】特開平７−６１６３９号公報
【発明の開示】
【発明が解決しようとする課題】
【０００４】
ところで、原稿が原稿自動搬送装置の内部で詰まった場合には、原稿の一部が原稿押さえカバーの下面側に露出しているため、ユーザは原稿押さえカバーを開けた状態で、原稿押さえカバーの上面側のジャム解除ダイヤルを回しつつ、原稿押さえカバーの下面側から原稿を抜きるとった作業をしていた。すなわち、原稿が詰まると、ユーザは、原稿押さえカバーの上面側のジャム解除ダイヤルの回転操作と、原稿押さえカバーの下面側の原稿の抜き取り作業と、を原稿押さえカバーの上下両側から同時に行う必要があるため、ジャム解除をするための作業が非常に困難となっていた。
【０００５】
一方、ジャム解除作業を円滑にするために、原稿押さえカバーの下面側にジャム解除ダイヤルを別途設ける構成も考えられるが、この構成では、部品点数が増加するため、組立工数や製造コストが大幅に増加する問題がある。
【０００６】
そこで、本発明は、上記事情を考慮し、原稿が原稿自動搬送装置で詰まった場合でも、製造コストの増加を抑制しつつ、詰まった原稿を容易に除去（ジャム解除）することができる画像読取装置を提供することを目的とする。
【課題を解決するための手段】
【０００７】
請求項１に記載の発明は、原稿台と、前記原稿台に対して開閉可能に設けられ下面側で前記原稿台に載置された原稿を押さえる原稿押さえカバーと、前記原稿押さえカバーの上面側に設けられ原稿が載置される原稿トレイと、前記原稿押さえカバーの上面側に設けられ前記原稿トレイに載置された原稿を前記原稿台上の任意の読取部位に搬送する原稿自動搬送装置と、前記原稿自動搬送装置の内部で詰まった原稿を前記原稿自動搬送装置から取り除くジャム解除部材と、を有する画像読取装置であって、前記ジャム解除部材は、前記原稿押さえカバーの上面側に操作可能に露出すると同時に、前記原稿押さえカバーの下面側にも操作可能に露出していることを特徴とする。
【０００８】
請求項２に記載の発明は、原稿台と、前記原稿台に対して開閉可能に設けられ下面側で前記原稿台に載置された原稿を押さえる原稿押さえカバーと、前記原稿押さえカバーの上面側に設けられ原稿が載置される原稿トレイと、前記原稿押さえカバーの上面側に設けられ前記原稿トレイに載置された原稿を前記原稿台上の任意の読取部位に搬送する原稿自動搬送装置と、前記原稿自動搬送装置の内部で詰まった原稿を前記原稿自動搬送装置から取り除くジャム解除部材と、を有する画像読取装置であって、前記原稿自動搬送装置は、開閉可能な上面カバー部を有し、前記ジャム解除部材は、前記原稿自動搬送装置の内部であって前記上面カバー部を開いたときに操作可能に露出するとともに、前記上面カバー部を閉じたときに前記上面カバー部で隠れるように設けられ、同時に、前記原稿押さえカバーの下面側に操作可能に露出していることを特徴とする。
【０００９】
請求項３に記載の発明は、請求項１又は２に記載の画像読取装置において、前記原稿自動搬送装置は、原稿を搬送する原稿搬送ローラを有し、前記ジャム解除部材は、回転操作可能に設けられた円盤状部材であり、回転操作されることにより前記原稿搬送ローラを回転させて原稿を取り除くことを特徴とする。
【００１０】
請求項４に記載の発明は、請求項３に記載の画像読取装置において、前記ジャム解除部材の外周面には、係止部が形成されていることを特徴とする。
【発明の効果】
【００１１】
請求項１に記載の発明によれば、原稿トレイに載置された原稿は、原稿自動搬送装置により原稿台上の任意の読取部位に搬送されるが、このとき、所定の不具合（例えば、原稿が折れ曲がっているなど）により、原稿が原稿自動搬送装置の内部で詰まることがある（ジャムの発生）。
【００１２】
ここで、原稿の一部が原稿押さえカバーの下面側に露出している状態でジャムが発生した場合には、原稿押さえカバーを開けて、原稿押さえカバーの下面側からジャム解除部材を操作すると同時に、原稿の一部を把持して引き抜くことにより、詰まった原稿を取り除くことができる。特に、原稿押さえカバーの下面側から２つの作業を行うことができるため、原稿除去作業が容易になる。
【００１３】
また、原稿の一部が原稿押さえカバーの上面側に露出している状態でジャムが発生した場合には、原稿押さえカバーを閉じて、原稿押さえカバーの上面側からジャム解除部材を操作すると同時に、原稿の一部を把持して引き抜くことにより、詰まった原稿を取り除くことができる。特に、原稿押さえカバーの上面側から２つの作業を行うことができるため、原稿除去作業が容易になる。
【００１４】
以上のように、本発明によれば、１つのジャム解除部材に対して原稿押さえカバーの上下両面側からそれぞれアプローチすることができるため、ジャム解除作業の作業効率を上げることができる。加えて、ジャム解除部材を複数設ける構成と比較して、部品点数や組立工数の増加を防止でき、ひいては製造コストの大幅な増加を抑制することができる。
【００１５】
請求項２に記載の発明によれば、原稿トレイに載置された原稿は、原稿自動搬送装置により原稿台上の任意の読取部位に搬送されるが、このとき、所定の不具合（例えば、原稿が折れ曲がっているなど）により、原稿が原稿自動搬送装置の内部で詰まることがある（ジャムの発生）。
【００１６】
ここで、原稿の一部が原稿押さえカバーの下面側に露出している状態でジャムが発生した場合には、原稿押さえカバーを開けて、原稿押さえカバーの下面側からジャム解除部材を操作すると同時に、原稿の一部を把持して引き抜くことにより、詰まった原稿を取り除くことができる。特に、原稿押さえカバーの下面側から２つの作業を行うことができるため、原稿除去作業が容易になる。
【００１７】
また、原稿の一部が原稿押さえカバーの上面側に露出している状態でジャムが発生した場合には、原稿押さえカバーを閉じ、原稿自動搬送装置の上面カバー部を開けた状態で、原稿押さえカバーの上面側からジャム解除部材を操作すると同時に、原稿の一部を把持して引き抜くことにより、詰まった原稿を取り除くことができる。特に、原稿押さえカバーの上面側から２つの作業を行うことができるため、原稿除去作業が容易になる。
【００１８】
以上のように、本発明によれば、１つのジャム解除部材に対して原稿押さえカバーの上下両面側からそれぞれアプローチすることができるため、ジャム解除作業の作業効率を上げることができる。加えて、ジャム解除部材を複数設ける構成と比較して、部品点数や組立工数の増加を防止でき、ひいては製造コストの大幅な増加を抑制することができる。
【００１９】
さらに、ジャムが発生していない通常使用時の状態では、原稿自動搬送装置の上面カバー部が閉じられているため、ジャム解除部材が上面カバー部で隠されて外部に露出しておらず、外部からジャム解除部材を視認することが不可能となる。これにより、ジャムが発生していない通常使用時においてジャム解除部材に対して不意に周囲の物が衝突するなどしてジャム解除部材が破損してしまうことを防止できるとともに、画像読取装置の意匠性を向上させることができる。
【００２０】
請求項３に記載の発明によれば、ジャム解除部材は回転操作可能に設けられた円盤状部材であり、ユーザによりジャム解除部材が回転操作されると、原稿搬送ローラを回転させて原稿が取り除かれる。これにより、ユーザは、ジャム解除部材を回転操作するだけで、容易にジャム解除することができる。
【００２１】
請求項４に記載の発明によれば、ジャム解除部材の外周面には係止部が形成されているため、ジャム解除部材の回転操作を容易に行うことができる。特に、原稿台との位置関係上の制限などから、ジャム解除部材が原稿押さえカバーの下面側から僅かな量だけしか突出させることができない構成でも、ジャム解除部材の外周面に係止部が形成されていることにより、ジャム解除部材の回転操作を容易に行うことができる。
【発明を実施するための最良の形態】
【００２２】
次に、本発明の一実施形態に係る画像読取装置について、図面を参照して説明する。
【００２３】
図１に示すように、画像読取装置１０は、原稿の情報を読み取る画像読取装置本体１２を備えている。この画像読取装置本体１２の上部には、原稿が載置される原稿台１４が設けられている。この原稿台１４の所定の部位には、原稿の画情報を読み取る情報読取部位（図示省略）が形成されている。また、原稿台１４の側面部には、原稿読取動作を開始させるためのキーなどを備えた操作部１６が設けられている。
【００２４】
また、原稿台１４には、原稿台１４の原稿載置面に対して開閉するとともに、下面側で原稿載置面に置かれた原稿を押さえる原稿押さえカバー１８がヒンジ部材４２（図４参照）を介して取り付けられている。また、原稿押さえカバー１８の上面側には、原稿が載置される給紙トレイ（原稿トレイ）２０が設けられている。また、原稿押さえカバー１８の上面側には、給紙トレイ２０に載置された原稿を情報読取部位に搬送する原稿自動搬送装置２２が設けられている。また、原稿押さえカバー１８の上面側であってかつ給紙トレイ２０の下方には、情報読取部位に搬送された原稿が排出される排紙トレイ２４が設けられている。
【００２５】
また、図２に示すように、原稿自動搬送装置２２の内部には、原稿を搬送するための原稿搬送ローラ２６を備えた原稿自動搬送装置本体２８が設けられている。この原稿自動搬送装置本体２８の上面には、給紙トレイ２０上の原稿が通過していく原稿通路面３０が形成されている。また、原稿自動搬送装置２２には、原稿自動搬送装置２２の筐体の一部を構成すると共に原稿搬送ローラ２６と原稿通路面３０を覆う上面カバー部材（上面カバー部）３２が原稿自動搬送装置本体２８に対して開閉可能に設けられている。この上面カバー部材３２が開けられると、原稿通路面３０と原稿搬送ローラ２６が外部に露出するようになっている。
【００２６】
また、上面カバー部材３２が閉じられると、原稿通路面３０と原稿搬送ローラ２６は、上面カバー部材３２の下側に隠れてしまい、外部から視認することができなくなる。これにより、ジャムが発生していない通常使用時においてジャム解除ハンドル（ジャム解除部材）３４に対して不意に周囲の物品や工具などが衝突するなどしてジャム解除ハンドル３４が破損してしまうことを防止できるとともに、画像読取装置１０の意匠性を向上させることができる。
【００２７】
ここで、図３に示すように、原稿自動搬送装置本体２８の原稿通路面３０の近傍には、原稿が原稿自動搬送装置２２の内部でジャムしたときに原稿を原稿自動搬送装置２２の内部から取り除くためのジャム解除ハンドル３４が設けられている。このジャム解除ハンドル３４は、原稿自動搬送装置本体２８に回転可能に取り付けられた円盤状のハンドル本体部３６と、ハンドル本体部３６の外周に突出形成された係止部３８と、で構成されている。このジャム解除ハンドル３４は、原稿搬送ローラ２６の回転軸と機械的に連結（接続）されており、ジャム解除ハンドル３４を回転操作することにより原稿搬送ローラ２６を容易に回転させることができるようになっている。なお、ジャム解除ハンドル３４は全体としても円盤状部材に形成されており、その外径は係止部３８が原稿押さえカバー１８の上面側と下面側の両方から突出する程度に大きく設定されている。
【００２８】
また、図２に示すように、上面カバー部材３２が原稿自動搬送装置本体２８に対して開けられた状態では、ジャム解除ハンドル３４の一部が原稿押さえカバー１８の上面側に操作可能に露出するように構成されている。具体的には、ジャム解除ハンドル３４の係止部３８が所定の長さだけ原稿自動搬送装置本体２８の上面から突出するように設定されている。これにより、上面カバー部材３２が原稿自動搬送装置本体２８に対して開けられた状態で、ユーザは、ジャム解除ハンドル３４の係止部３８を押すことにより、ジャム解除ハンドル３４を容易に回転操作することができる。なお、図１に示すように、上面カバー部材３２が原稿自動搬送装置本体２８に対して閉じられた状態では、ジャム解除ハンドル３４は、上面カバー部材３２の下側に隠れてしまい、外部から視認することができなくなる。
【００２９】
また、図４に示すように、原稿押さえカバー１８の下面側には貫通孔４０が形成されており、この貫通孔４０から上記ジャム解除ハンドル３４の一部が原稿押さえカバー１８の下面側から操作可能に露出するように構成されている。具体的には、ジャム解除ハンドル３４の係止部３８が所定の長さだけ突出するように設定されている。これにより、原稿押さえカバー１８が原稿台１４に対して開けられた状態で、ユーザは、ジャム解除ハンドル３４の係止部３８を押すことにより、ジャム解除ハンドル３４を容易に回転操作することができる。なお、ジャム解除ハンドル３４はその中心が原稿自動搬送装置本体２８の厚み方向中心の部位に位置するように設けられているが、ジャム解除ハンドル３４の係止部３８が原稿押さえカバー１８の下面側に突出する長さは原稿押さえカバー１８が原稿台１４に対して閉じられたときの原稿台１４の載置面との位置関係で制限されるため所定長さ以下に抑えられている。
【００３０】
次に、本実施形態の画像読取装置の作用について説明する。
【００３１】
図１に示すように、給紙トレイ２０に載置された原稿は、原稿自動搬送装置２２により原稿台１４上の任意の読取部位に搬送されるが、このとき、所定の不具合（例えば、原稿が折れ曲がっているなど）により、原稿が原稿自動搬送装置２２の内部で詰まることがある（ジャムの発生）。
【００３２】
ここで、原稿の一部が原稿押さえカバー１８の下面側に露出している状態でジャムが発生した場合には、図４に示すように、原稿押さえカバー１８を原稿台１４に対して開けて、原稿押さえカバー１８の下面側からジャム解除ハンドル３４を回転操作すると同時に、原稿の一部を把持して原稿押さえカバー１８の下面側に引き抜くことにより、詰まった原稿を取り除くことができる。このとき、ジャム解除ハンドル３４が回転操作されると、原稿搬送ローラ２６を回転させて原稿が取り除かれる構成となっているため、ユーザは、ジャム解除ハンドル３４を回転操作するだけで容易にジャム解除することができる。また、原稿押さえカバー１８の下面側から、ジャム解除ハンドル３４の回転操作と、原稿の一部を把持して原稿押さえカバー１８の下面側に引き抜く作業と、の２つの操作・作業を同時に行うことができるため、原稿除去作業が容易になる。
【００３３】
一方、原稿の一部が原稿押さえカバー１８の上面側に露出している状態でジャムが発生した場合には、図２に示すように、原稿押さえカバー１８を閉じて、上面カバー部材３２を原稿自動搬送装置本体２８に対して開け、原稿押さえカバー１８の上面側からジャム解除ハンドル３４を操作すると同時に、原稿の一部を把持して原稿押さえカバー１８の上面側に引き抜くことにより、詰まった原稿を取り除くことができる。特に、原稿押さえカバー１８の上面側から、ジャム解除ハンドル３４の回転操作と、原稿の一部を把持して原稿押さえカバー１８の上面側に引き抜く作業と、の２つの作業を同時に行うことができるため、原稿除去作業が容易になる。
【００３４】
以上のように、本発明によれば、１つのジャム解除ハンドル３４に対して原稿押さえカバー１８の上下両面側からそれぞれアプローチすることができるため、ジャム解除作業の作業効率を上げることができる。加えて、ジャム解除ハンドル３４を複数設ける構成と比較して、部品点数や組立工数の増加を防止でき、ひいては製造コストの大幅な増加を抑制することができる。
【００３５】
特に、図４に示すように、原稿押さえカバー１８の下面側からジャム解除ハンドル３４を回転操作させる場合において、原稿台１４との位置関係上の制限などからジャム解除ハンドル３４が原稿押さえカバー１８の下面側から僅かな量だけしか突出させることができない構成でも、ジャム解除ハンドル３４の外周面に係止部３８が形成されていることによりジャム解除ハンドル３４の回転操作を容易に行うことができる。
【図面の簡単な説明】
【００３６】
【図１】本発明の一実施形態に係る画像読取装置の斜視図である。
【図２】本発明の一実施形態に係る画像読取装置を構成する原稿自動搬送装置の上面カバー部を開けた状態の斜視図である。
【図３】本発明の一実施形態に係る画像読取装置を構成する原稿自動搬送装置に設けられるジャム解除部材の斜視図である。
【図４】本発明の一実施形態に係る画像読取装置を構成する原稿押さえカバーを下面側から見た斜視図である。
【符号の説明】
【００３７】
１０      画像読取装置
１４      原稿台
１８      原稿押さえカバー
２０      給紙トレイ（原稿トレイ）
２２      原稿自動搬送装置
２６      原稿搬送ローラ
３２      上面カバー部材（上面カバー部）
３４      ジャム解除ハンドル（ジャム解除部材）
３８      係止部
【図１】
2008211672.tif 000003
【図２】
2008211672.tif 000004
【図３】
2008211672.tif 000005
【図４】
2008211672.tif 000006